(57)【要約】      （修正有）【課題】ドライブユニットのメンテナンス性を向上させたディスク装置を提供する。【解決手段】ディスク装置は、ディスクに対して情報の記録又は再生を行うドライブユニット３４と、ドライブユニット３４を支持する筐体と、を備える。ドライブユニット３４は、筐体に対して着脱可能に構成され、ドライブユニット３４を筐体にロックするロック位置と、ドライブユニット３４と筐体とのロックを解除する解除位置とに変位可能なハンドル４９と、ロック位置と解除位置との間のハンドル４９の変位に応じて、ドライブユニット３４と筐体とをロックおよびロックの解除を行うロックレバー３５Ｂを含むロック機構と、を備える。【選択図】図１２Ａ
2019071154.tif 000002
【特許請求の範囲】
【請求項１】
複数枚のディスクをそれぞれ収納する複数のディスクトレイと、ディスクに対して情報の記録又は再生を行うドライブユニットと、前記複数のディスクトレイの中から選択された１つのディスクトレイを前記ドライブユニットの近傍に搬送するトレイキャリアと、前記ドライブユニットの近傍に配置され、前記ディスクトレイに収納された前記複数枚のディスクの中から１枚のディスクを前記ドライブユニットに供給するディスクセレクタと、前記トレイキャリア、および、前記ディスクセレクタを支持するシャーシと、前記シャーシと、前記ディスクトレイ、および、前記ドライブユニットを支持する筐体と、
を備えるディスク装置であって、
前記ドライブユニットは、前記筐体に対して着脱可能に構成され、
前記ドライブユニットは、
前記ドライブユニットを前記筐体にロックするロック位置と、前記ドライブユニットと前記筐体とのロックを解除する解除位置とに変位可能なハンドルと、
前記ロック位置と前記解除位置との間の前記ハンドルの変位に応じて、前記ドライブユニットと前記筐体とをロックおよびロックの解除を行うロック機構と、を備える、
ディスク装置。
【請求項２】
前記ドライブユニットは、前記情報を外部と送信または受信するために、前記筐体に支持された筐体側コネクタと接続されるドライブ側コネクタを備え、
前記筐体側コネクタと前記ドライブ側コネクタとの着脱方向と、前記筐体に対する前記ドライブユニットの着脱方向とが同じであり、
前記ロック位置において、前記筐体側コネクタと前記ドライブ側コネクタが接続され、前記解除位置において、前記筐体側コネクタと前記ドライブ側コネクタとが分離される、
請求項１に記載のディスク装置。
【請求項３】
前記筐体は、内側壁から内方に向けて延びるバーを備え、
前記ロック機構は、
前記ハンドルが前記ロック位置にあるときに前記バーをロックし、
前記ハンドルが前記解除位置にあるときに前記バーとのロックを解除する、
請求項１または２に記載のディスク装置。
【請求項４】
前記ロック機構は、前記ハンドルの動きと連動するカム機構を備える、
請求項３に記載のディスク装置。
【請求項５】
前記カム機構は、前記ハンドルと接続され、周縁部から内方に延びる溝を有するカム板を有し、
前記ハンドルが前記解除位置にあるときに、前記バーが前記カム板と当接することで、前記ドライブユニットが前記筐体内へ挿入されるのを停止し、
前記ロック位置への前記ハンドルの移動に連動して、前記カム板の前記溝は前記バーを前記溝の内方に引き込んで係止する、
請求項４に記載のディスク装置。
【請求項６】
前記カム機構は、前記カム板を回転可能に支持するハンドルホルダを備え、
前記ハンドルホルダは、前記カム板に向けて突出するホルダピンを備え、
前記カム板は、前記ホルダピンが挿入される円弧形状の溝と、前記カム板から内側方に向けて突出するカム板ピンと、前記ホルダピンと前記カム板ピンとに取り付けられたバネとを有し、
前記バネは前記ホルダピンと前記カム板ピンとが反発する方向に付勢されている、
請求項５に記載のディスク装置。
【請求項７】
前記ロック機構は、前記ハンドルの動きと連動するリンク機構を備える、
請求項３に記載のディスク装置。
【請求項８】
前記リンク機構は、
前記ハンドルと接続され、予め定められた角度回転可能な第１アームと、
前記第１アームの動きと連動して予め定められた角度回転可能な第２アームと、を備え、
前記ハンドルが前記解除位置にあるときに、前記バーが前記第２アームの一部と当接することで、前記ドライブユニットが前記筐体内へ挿入されるのを停止し、
前記ロック位置への前記ハンドルの移動に連動して、前記第２アームの一部が前記バーをロックする、
請求項７に記載のディスク装置。
【請求項９】
前記リンク機構は、
前記第２アームの動きと連動して予め定められた角度回転可能な第３アームを備え、
前記ロック位置への前記ハンドルの移動に連動して、前記第３アームの一部が前記バーをロックする、
請求項８に記載のディスク装置。
【発明の詳細な説明】
【技術分野】
【０００１】
本開示は、複数のディスクトレイから選択された１つのディスクトレイをドライブユニットの近傍に搬送し、当該ディスクトレイに収納された複数枚のディスクの中から１枚のディスクをドライブユニットに供給するディスク装置に関する。
【背景技術】
【０００２】
従来、この種のディスク装置として、例えば、特許文献１（特開２０１４−１３６３９号公報）に記載された装置が知られている。図１８は、従来のディスク装置の構成を模式的に示す斜視図である。
【０００３】
従来のディスク装置は、２つのマガジンストッカー１０１，１０１を備えている。２つのマガジンストッカー１０１，１０１は、底シャーシ１１１上において互いに対向するように設けられている。なお、図１８では、一方（手前側）のマガジンストッカー１０１の図示を省略している。
【０００４】
各マガジンストッカー１０１には、複数のマガジン１０２が収納されている。各マガジン１０２は、複数枚のディスク（ＣＤやＤＶＤなどのディスク状の情報記憶媒体）を収納するディスクトレイ１２１を有している。２つのマガジンストッカー１０１，１０１の間には、トレイキャリア１０３が設けられている。
【０００５】
トレイキャリア１０３は、複数のマガジン１０２の中から選択された１つのマガジン１０２からディスクトレイ１２１を引き出し、当該ディスクトレイ１２１を、装置後方に配置された複数のドライブユニット１０４の近傍に搬送するように構成されている。
【０００６】
ドライブユニット１０４は、ディスクに対して情報の記録又は再生を行う装置である。複数のドライブユニット１０４は、上下方向に積層され、装置後方において各マガジンストッカー１０１，１０１に隣接して配置されている。一方のマガジンストッカー１０１に隣接して積層配置された複数のドライブユニット１０４と、他方のマガジンストッカー１０１に隣接して積層配置された複数のドライブユニット１０４との間には、ディスクセレクタ１０５が設けられている。
【０００７】
ディスクセレクタ１０５は、ディスクトレイ１２１に収納された複数枚のディスクを複数のドライブユニット１０４に１枚ずつ供給するように構成されている。以下、トレイキャリア１０３及びディスクセレクタ１０５の両方の機能を備える装置を「チェンジャーユニット」という。
【先行技術文献】
【特許文献】
【０００８】
【特許文献１】特開２０１４−１３６３９号公報
【発明の概要】
【発明が解決しようとする課題】
【０００９】
しかしながら、従来のディスク装置において、ドライブユニットは、ディスク装置内に固定されているので、ドライブユニットが故障した場合、ドライブユニットの交換等のメンテナンスが煩雑であった。
【００１０】
本開示は、ドライブユニットのメンテナンス性を向上させたディスク装置を提供する。
【課題を解決するための手段】
【００１１】
本開示におけるディスク装置は、複数枚のディスクをそれぞれ収納する複数のディスクトレイと、ディスクに対して情報の記録又は再生を行うドライブユニットと、前記複数のディスクトレイの中から選択された１つのディスクトレイを前記ドライブユニットの近傍に搬送するトレイキャリアと、前記ドライブユニットの近傍に配置され、前記ディスクトレイに収納された前記複数枚のディスクの中から１枚のディスクを前記ドライブユニットに供給するディスクセレクタと、前記トレイキャリア、および、前記ディスクセレクタを支持するシャーシと、前記シャーシと、前記ディスクトレイ、および、前記ドライブユニットを支持する筐体と、
を備えるディスク装置であって、
前記ドライブユニットは、前記筐体に対して着脱可能に構成され、
前記ドライブユニットは、
前記ドライブユニットを前記筐体にロックするロック位置と、前記ドライブユニットと前記筐体とのロックを解除する解除位置とに変位可能なハンドルと、
前記ロック位置と前記解除位置との間の前記ハンドルの変位に応じて、前記ドライブユニットと前記筐体とをロックおよびロックの解除を行うロック機構と、を備える。
【発明の効果】
【００１２】
本開示のディスク装置によれば、ディスクドライブのメンテナンス性を向上することができる。
【図面の簡単な説明】
【００１３】
【図１】実施形態に係るディスク装置を複数格納する格納庫の斜視図である。
【図２】図１の格納庫から１つのドロワーを引き出した状態を示す斜視図である。
【図３】図２のドロワーがケースに収納された状態を示す斜視図である。
【図４】図２のドロワーがケースから引き出された状態を示す斜視図である。
【図５】実施形態に係るディスク装置の斜視図である。
【図６】図２のドロワーがケースから引き出された状態を示す斜視図であって、ドロワーに収納された１つのディスク装置を分解して示す図である。
【図７Ａ】図５のディスク装置が備えるチェンジャーユニットの構成及びディスク搬送動作を示す斜視図である。
【図７Ｂ】図７Ａに続くディスク搬送動作を示す斜視図である。
【図７Ｃ】図７Ｂに続くディスク搬送動作を示す斜視図である。
【図７Ｄ】図７Ｃに続くディスク搬送動作を示す斜視図である。
【図７Ｅ】図７Ｄに続くディスク搬送動作を示す斜視図である。
【図７Ｆ】図７Ｅに続くディスク搬送動作を示す斜視図である。
【図７Ｇ】図７Ｆに続くディスク搬送動作を示す斜視図である。
【図７Ｈ】図７Ｇに続くディスク搬送動作を示す斜視図である。
【図８】ドライブユニット３４の斜視図である。
【図９】実施形態１におけるカム機構が有するハンドルホルダおよびカム板の斜視図である。
【図１０】ドライブユニットが筐体から取り外された状態の筐体の部分斜視図である。
【図１１】ドライブユニットが筐体に装着された状態の筐体の部分斜視図である。
【図１２Ａ】ハンドルが解除位置にあるときの図１１の矢視ＸＩＩＡからのドライブユニットを模式的に示す側面図である。
【図１２Ｂ】ハンドルが解除位置にあるときの図１１の矢視ＸＩＩＢからのハンドルホルダおよびカム板の側面図である。
【図１３Ａ】ハンドルがロック位置にあるときの図１１の矢視ＸＩＩＡからのドライブユニットを模式的に示す側面図である。
【図１３Ｂ】ハンドルがロック位置にあるときの図１１の矢視ＸＩＩＢからのハンドルホルダおよびカム板の側面図である。
【図１４】実施形態２におけるリンク機構の側面図である。
【図１５】ハンドルが解除位置にあるときのリンク機構の側面図である。
【図１６】ハンドルが解除位置とロック位置との間にあるときのリンク機構の側面図である。
【図１７】ハンドルがロック位置にあるときのリンク機構の側面図である。
【図１８】従来のディスク装置の構成を模式的に示す斜視図である。
【発明を実施するための形態】
【００１４】
本開示の第１態様によれば、複数枚のディスクをそれぞれ収納する複数のディスクトレイと、ディスクに対して情報の記録又は再生を行うドライブユニットと、前記複数のディスクトレイの中から選択された１つのディスクトレイを前記ドライブユニットの近傍に搬送するトレイキャリアと、前記ドライブユニットの近傍に配置され、前記ディスクトレイに収納された前記複数枚のディスクの中から１枚のディスクを前記ドライブユニットに供給するディスクセレクタと、前記トレイキャリア、および、前記ディスクセレクタを支持するシャーシと、前記シャーシと、前記ディスクトレイ、および、前記ドライブユニットを支持する筐体と、を備えるディスク装置であって、前記ドライブユニットは、前記筐体に対して着脱可能に構成され、前記ドライブユニットは、前記ドライブユニットを前記筐体にロックするロック位置と、前記ドライブユニットと前記筐体とのロックを解除する解除位置とに変位可能なハンドルと、前記ロック位置と前記解除位置との間の前記ハンドルの変位に応じて、前記ドライブユニットと前記筐体とをロックおよびロックの解除を行うロック機構と、を備える、ディスク装置を提供する。
【００１５】
本開示の第２態様によれば、前記ドライブユニットは、前記情報を外部と送信または受信するために、前記筐体に支持された筐体側コネクタと接続されるドライブ側コネクタを備え、前記筐体側コネクタと前記ドライブ側コネクタとの着脱方向と、前記筐体に対する前記ドライブユニットの着脱方向とが同じであり、前記ロック位置において、前記筐体側コネクタと前記ドライブ側コネクタが接続され、前記解除位置において、前記筐体側コネクタと前記ドライブ側コネクタとが分離される、第１態様に記載のディスク装置を提供する。
【００１６】
本開示の第３態様によれば、前記筐体は、内側壁から内方に向けて延びるバーを備え、前記ロック機構は、前記ハンドルが前記ロック位置にあるときに前記バーをロックし、前記ハンドルが前記解除位置にあるときに前記バーとのロックを解除する、第１態様または第２態様に記載のディスク装置を提供する。
【００１７】
本開示の第４態様によれば、前記ロック機構は、前記ハンドルの動きと連動するカム機構を備える、第３態様に記載のディスク装置を提供する。
【００１８】
本開示の第５態様によれば、前記カム機構は、前記ハンドルと接続され、周縁部から内方に延びる溝を有するカム板を有し、前記ハンドルが前記解除位置にあるときに、前記バーが前記カム板と当接することで、前記ドライブユニットが前記筐体内へ挿入されるのを停止し、前記ロック位置への前記ハンドルの移動に連動して、前記カム板の前記溝は前記バーを前記溝の内方に引き込んで係止する、第４態様に記載のディスク装置を提供する。
【００１９】
本開示の第６態様によれば、前記カム機構は、前記カム板を回転可能に支持するハンドルホルダを備え、前記ハンドルホルダは前記カム板に向けて突出するホルダピンを備え、前記カム板は、前記ホルダピンが挿入される円弧形状の溝と、前記カム板から内側方に向けて突出するカム板ピンと、前記ホルダピンと前記カム板ピンとに取り付けられたバネとを有し、前記バネは前記ホルダピンと前記カム板ピンとが反発する方向に付勢している、第５態様に記載のディスク装置を提供する。
【００２０】
本開示の第７態様によれば、前記ロック機構は、前記ハンドルの動きと連動するリンク機構を備える、第３態様に記載のディスク装置を提供する。
【００２１】
本開示の第８態様によれば、前記リンク機構は、前記ハンドルと接続され、予め定められた角度回転可能な第１アームと、前記第１アームの動きと連動して予め定められた角度回転可能な第２アームと、前記第２アームの動きと連動して予め定められた角度回転可能な第３アームとを備え、前記ハンドルが前記解除位置にあるときに、前記バーが前記第２アームの一部と当接することで、前記ドライブユニットが前記筐体内へ挿入されるのを停止し、前記ロック位置への前記ハンドルの移動に連動して、前記第２アームの一部が前記バーをロックする、第７態様に記載のディスク装置を提供する。
【００２２】
本開示の第９態様によれば、前記リンク機構は、前記第２アームの動きと連動して予め定められた角度回転可能な第３アームを備え、前記ロック位置への前記ハンドルの移動に連動して、前記第３アームの一部が前記バーをロックする、第８態様に記載のディスク装置を提供する。
【００２３】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面及び以下の説明を提供するものであって、これらによって特許請求の範囲に記載の主題を限定することを意図するものではない。
【００２５】
（実施形態１）
図１は、実施形態に係るディスク装置を複数格納する格納庫の斜視図である。
【００２６】
格納庫１は、例えば、１９インチラックである。格納庫１は、直方体の箱状の部材であり、前面に開口部１Ａを有している。格納庫１において、奥行き方向Ｘの長さは、例えば１，０００ｍｍであり、横方向Ｙの長さは例えば６００ｍｍであり、上下方向Ｚの長さは例えば２，０００ｍｍである。格納庫１は、図１に示すように、複数のドロワー２を備えている。実施形態においては、４つのドロワー２が上下方向Ｚに配列されている。各ドロワー２は、格納庫１の開口部１Ａを通じて出し入れ可能に構成されている。各ドロワー２は、他のドロワー２とは独立に動作可能に構成され、格納庫１の電源が投入されている場合であっても、ドロワー２は他のドロワー２の動作を妨げることなく、引き出すことができる。ただし、同一ラック内では必ず１つのドロワー２しか引き出せないように電気的に制御するようにしている。これにより、複数のドロワー２を引き出すことにより重心が前方に移動して、格納庫１が転倒することを回避することができる。
【００２７】
図２は、図１の格納庫１から１つのドロワー２を引き出した状態を示す斜視図である。
【００２８】
図２に示すように、ドロワー２には、実施形態に係る複数のディスク装置（チェンジャーモジュールともいう）３が収納されている。実施形態においては、１つのドロワー２に４つのディスク装置３が奥行き方向Ｘに収納されている。ドロワー２の前壁には、把手部２Ａが設けられている。把手部２Ａを奥行き方向Ｘに押す又は引くことにより、格納庫１に対してドロワー２を容易に出し入れすることができる。
【００２９】
図３は、ドロワー２がケース４に収納された状態を示す斜視図である。図４は、ドロワー２がケース４から引き出された状態を示す斜視図である。
【００３０】
ドロワー２は、格納庫１内に位置するとき、図３に示すようにケース４内に収納される。これにより、ドロワー２内に収納される各ディスク装置３内に埃等が侵入することが抑えられている。ケース４は、直方体の箱状の部材であり、前面に開口部４Ａ（図４参照）を有している。ケース４は、格納庫１内に着脱自在に固定されている。実施形態においては、４つのケース４が上下方向Ｚに積み重ねられている。
【００３１】
また、ドロワー２は、格納庫１内から引き出されたとき、図４に示すようにケース４の開口部４Ａを通じてケース４から引き出される。ケース４には、ドロワー２の奥行き方向Ｘの移動をガイドするように一対のレール５が設けられている。
【００３２】
また、ドロワー２の前壁には、各ディスク装置３を冷却する冷却風を送風するファンユニット６が着脱自在に取り付けられている。
【００３３】
図５は、ディスク装置３の斜視図である。図６は、ドロワー２がケース４から引き出された状態を示す斜視図であって、ドロワー２に収納された１つのディスク装置３を分解して示す図である。
【００３４】
ディスク装置３は、横方向Ｙに互いに対向するように２つのトレイスタック３１Ａ，３１Ｂを備えている。
【００３５】
トレイスタック３１Ａ，３１Ｂには、複数のディスクトレイ３２が収納されている。トレイスタック３１Ａ，３１Ｂは、複数のディスクトレイ３２を上下方向Ｚに保持するように構成されている。実施形態において、ドロワー２の前方から見て右側に配置されるトレイスタック３１Ａは、１６個のディスクトレイ３２を上下方向Ｚに保持するように構成されている。ドロワー２の前方から見て左側に配置されるトレイスタック３１Ｂは、１８個のディスクトレイ３２を上下方向Ｚに保持するように構成されている。
【００３６】
ディスクトレイ３２は、複数枚のディスクを収納可能に構成されている。実施形態において、ディスクトレイ３２は、１２枚のディスクを積層状態で収納可能に構成されている。ディスクは、例えば、直径１２ｃｍの両面に記録層を有する光ディスクである。
【００３７】
トレイスタック３１Ａ，３１Ｂの間には、ディスクトレイ３２及びディスクを搬送するチェンジャーユニット３３が設けられている。
【００３８】
ドライブユニット３４は、ディスクに対して情報の記録又は再生を行う装置である。実施形態において、ドライブユニット３４は、トレイを用いてディスクをローディングするトレイ方式のディスクドライブである。ドライブユニット３４は、筐体３５に取り付けられている。
【００３９】
トレイスタック３１Ａ，３１Ｂ及びチェンジャーユニット３３は、筐体３５内に格納されている。トレイスタック３１Ａ，３１Ｂは、図４に示すようにドロワー２がケース４から引き出された状態で、横方向Ｙに押す又は引くことにより、着脱自在に構成されている。なお、トレイスタック３１Ａ，３１Ｂは、筐体３５に対して着脱しやすいように、複数（例えば上下２段）に分割されてもよい。チェンジャーユニット３３は、図４に示すようにドロワー２がケース４から引き出された状態で、上下方向Ｚに押す又は引くことにより、筐体３５に対して着脱自在に構成されている。
【００４０】
また、ドロワー２の前壁には、各ディスク装置３のディスク搬送動作を含む各種動作及びファンユニット６の送風動作を制御する制御ユニット７が着脱自在に取り付けられている。制御ユニット７は、例えば、データを管理するホストコンピュータに有線又は無線により接続されている。ホストコンピュータは、オペレータの指示に基づき、指定のディスクへのデータの書き込み又は読み出し等の動作を行うように制御ユニット７に指令を送る。制御ユニット７は、当該指令に従い、ファンユニット６、チェンジャーユニット３３、ドライブユニット３４などの各装置の動作を制御する。
【００４１】
また、チェンジャーユニット３３には、トレイスタック３１Ｂの上方において、コネクティングユニット９が取り付けられている。図５に示すように、チェンジャーユニット３３のシャーシ３８の上面には、断面Ｕ字状のハンドル部３９が設けられている。図５において、チェンジャーユニット３３は、ハンドル部３９が凹部３８Ｂから持ち上げられ、筐体３５に対して上下方向Ｚに相対移動されることにより着脱自在に構成されている。筐体３５には、チェンジャーユニット３３の上下方向Ｚの移動をガイドするようにガイド部（図示せず）が設けられている。ユーザがハンドル部３９を離すと、シャーシ３８の上面に設けられたＵ字状の凹部３８Ｂ内に収納される。
【００４２】
図７Ａ〜図７Ｈは、チェンジャーユニット３３の構成及びディスク搬送動作を示す斜視図である。
【００４３】
チェンジャーユニット３３は、図７Ａに示すように、トレイキャリア３６と、ディスクセレクタ３７とを備えている。トレイキャリア３６とディスクセレクタ３７とは、図６に示すシャーシ３８に取り付けられている。図７Ａ〜図７Ｈにおいては、チェンジャーユニット３３の内部構成を見やすくするため、図６に示すシャーシ３８の前壁３８Ａを取り外した状態を示している。
【００４４】
トレイキャリア３６は、図７Ｂ〜図７Ｄに示すように、複数のディスクトレイ３２の中から選択された１つのディスクトレイ３２をドライブユニット３４の近傍に搬送するように構成されている。また、トレイキャリア３６は、ドライブユニット３４の近傍に搬送したディスクトレイ３２を元の位置（トレイスタック３１Ａ又はトレイスタック３１Ｂ）に収納するように構成されている。
【００４５】
実施形態において、トレイキャリア３６は、上下方向Ｚに移動するように構成されている。また、トレイキャリア３６は、所望のディスクトレイ３２の位置に移動し、トレイスタック３１Ａ，３１Ｂに対してディスクトレイ３２を出し入れ可能に構成されている。
【００４６】
ディスクセレクタ３７は、ドライブユニット３４の近傍に配置され、ディスクトレイ３２に収納された複数枚のディスクＤ１の中から１枚のディスクＤ１をドライブユニット３４に供給するように構成されている。実施形態において、ディスクセレクタ３７は、図７Ｅに示すように、ドライブユニット３４の近傍において、ディスクトレイ３２に収納された複数枚のディスクＤ１を保持するように構成されている。ディスクセレクタ３７が複数枚のディスクＤ１を保持すると、トレイキャリア３６が下降してディスクセレクタ３７から離れる。その後、図７Ｆに示すように、ディスクセレクタ３７の下方に位置するように、ドライブユニット３４からトレイ３４Ａが排出される。
【００４７】
また、ディスクセレクタ３７は、図７Ｇに示すように、前記保持した複数枚のディスクＤ１から１枚のディスクＤ１を分離してドライブユニット３４のトレイ３４Ａに供給する。その後、図７Ｈに示すように、ドライブユニット３４内にトレイ３４Ａが搬送されることで、ディスクＤ１に対してデータの記録又は再生が可能になる。
【００４８】
また、ディスクセレクタ３７は、図７Ｆに示すように、ドライブユニット３４から排出されたトレイ３４Ａ上のディスクＤ１を保持し、ディスクトレイ３２上で保持を解除することで当該ディスクＤ１をディスクトレイ３２内に戻すように構成されている。
【００４９】
次に、図８を参照してドライブユニット３４についてさらに詳細に説明する。図８は、ドライブユニット３４の斜視図である。なお、以下の説明において、ａ方向をドライブユニット３４の幅方向とし、ｂ方向をドライブユニット３４の奥行き方向とし、ｃ方向をドライブユニット３４の高さ方向として説明する。ａ方向とＸ方向、ｂ方向とＹ方向、ｃ方向とＺ方向とは同じ方向である。また、奥行き方向（ｂ方向）において、筐体３５からドライブユニット３４を引き出す方向を前方向とし、筐体３５にドライブユニット３４を挿入する方向を後ろ方向として説明する。
【００５０】
ドライブユニット３４は、トレイ３４Ａに載置されたディスクＤ１に対して情報の記録又は再生を行うドライブ本体４１と、ドライブ本体４１と電気的に接続されたコネクタ４３と、ドライブユニット３４を筐体３５に着脱可能に固定するロック機構４５と、ドライブユニット３４を筐体３５にロックするロック位置と、ドライブユニット３４と筐体３５とのロックを解除する解除位置とに変位可能なハンドル４９と、を備える。ドライブユニット３４は、さらに、ドライブ本体４１に幅方向（ａ方向）および高さ方向（ｃ方向）に移動可能に支持されたプリント配線基板（ＰＣＢ）４７を備える。プリント配線基板４７の後ろ側中央部近傍にコネクタ４３が配置されている。
【００５１】
ドライブ本体４１は、コネクタ４３を介して、例えば、制御ユニット７などの別の機器から受信した情報をディスクＤ１に記録する。また、ドライブ本体４１は、ディスクＤ１に記録された情報を読み取り、読み取った情報を、コネクタ４３を介して別の機器へ送信する。
【００５２】
コネクタ４３は、ドライブユニット３４の外部機器と情報の送受信を行うための接続部材である。コネクタ４３は、筐体３５に固定されたコネクタ３５Ａと着脱可能に接続される。筐体３５のコネクタ３５Ａとドライブユニット３４のコネクタ４３との着脱方向は、筐体３５に対するドライブユニット３４の着脱方向と同じである。
【００５３】
プリント配線基板４７は、ドライブ本体４１とコネクタ４３とを接続する配線を有する。プリント配線基板４７は、ドライブ本体４１の上部に、幅方向および高さ方向に変位可能にフローティング保持されている。例えば、プリント配線基板４７は、後両側部にそれぞれ孔４７Ａを有する。ボルト４８が、プリント配線基板４７の上方から孔４７Ａに挿通されてドライブ本体４１に取り付けられている。これにより、プリント配線基板４７はボルト４８に沿って高さ方向に変位可能である。また、孔４７Ａの直径は、ボルト４８の軸部の直径よりもａ方向について大きいが、ｂ方向については規制している。したがって、プリント配線基板４７は幅方向（ａ方向）に変位可能である。
【００５４】
また、プリント配線基板４７は、前両側部に孔４７Ｂを有する。孔４７Ｂには、ドライブ本体４１から延びる逆Ｌ字形状のフック４１Ａが下方から挿通されている。プリント配線基板４７が高さ方向に変位すると、プリント配線基板４７の上面がフック４１Ａの折れ曲がり部分の下部に当接することで、プリント配線基板４７の高さ方向の変位量が制限される。また、ドライブ本体４１の上面の両側部に別の逆Ｌ字形状のフック４１Ｂが配置されている。
【００５５】
ハンドル４９は、ドライブユニット３４のロックとロック解除の操作をするのに用いられる。ハンドル４９は、最も高い位置のロック位置と、最も低い位置の解除位置との間を回転可能である。ハンドル４９は１本のバー形状を有するが、ハンドル４９の形状はこれに限られず、２本に分割されたバー形状を有してもよいし、手の形状に合わせた曲線部を有するグリップ形状を有してもよい。
【００５６】
ロック機構４５は、ハンドル４９の動きと連動するカム機構５１を備える。カム機構５１は、ハンドル４９と接続され、ハンドル４９の回転移動をドライブ本体４１の直線移動に変換するカム板５３と、カム板５３を回転可能に保持するハンドルホルダ５５と、を備える。ロック機構４５は、ドライブ本体４１の前側両側部にそれぞれ備えられている。
【００５７】
カム板５３は、ハンドルホルダ５５とドライブ本体４１との間に回転可能に配置されている。すなわち、カム板５３は、ハンドルホルダ５５よりもａ方向において内方に配置されている。
【００５８】
図９はカム機構５１が有するハンドルホルダ５５およびカム板５３の斜視図である。
【００５９】
ハンドルホルダ５５は、金属製の板状部材であり、ドライブ本体４１の前側両側部にそれぞれ配置されている。ハンドルホルダ５５は、筐体３５のａ方向に延びるロックバー３５Ｂを前後方向（ｂ方向）に受け入れる溝５５Ａと、その内側面から内側方に向けて突出するピン５５Ｂと、ハンドルホルダ５５の前側部に、高さ方向に離れて形成された２つの突出部５５Ｃを備える。
【００６０】
カム板５３は、ハンドルホルダ５５に支持された軸５４を中心に予め定められた角度回転可能にハンドルホルダ５５に支持されている。カム板５３は、ハンドル４９と接続されるアーム部５３Ａと、カム板５３の周縁部から内方に延びる溝５３Ｂと、カム板５３の側面から突出したピン５３Ｃと、軸５４を中心とした円弧状の溝５３Ｄと、ハンドルホルダ５５の突出部５５Ｃと嵌合する孔５３Ｅと、を備える。
【００６１】
カム板５３の溝５３Ｄには、ハンドルホルダ５５のピン５５Ｂが挿通されている。カム機構５１は、溝５３Ｄに挿通されたピン５５Ｂとカム板５３のピン５３Ｃとに取り付けられたコイルバネ５９を備える。コイルバネ５９はハンドルホルダ５５のピン５５Ｂとカム板５３のピン５３Ｃとが反発する方向に付勢されている。
【００６２】
次に、図１０を参照して、ドライブユニット３４が取り外された状態の筐体３５について説明する。図１０は、ドライブユニット３４が筐体３５から取り外された状態の筐体３５の部分斜視図である。
【００６３】
図１０に示すように、筐体３５は、ドライブユニット３４の収納空間であるドライブベイ６１と、挿入されるドライブユニット３４をドライブベイ６１の予め定められた位置に案内する案内部材６３、６４と、ドライブユニット３４のコネクタ４３と接続されるコネクタ３５Ａと、ドライブユニット３４のロック機構４５によりロックされるロックバー３５Ｂと、を備える。
【００６４】
案内部材６３は、例えば、金属製の平板である。ドライブユニット３４は、案内部材６３により、筐体３５内に挿入されると、奥に挿入されるにつれて徐々に予め定められた位置に位置決めされる。また、案内部材６４（図１２Ａ参照）も、ドライブユニット３４を予め定められた位置に案内する。これにより、ロックバー３５Ｂが溝５５Ａ内に案内され、ドライブユニット３４のコネクタ４３と筐体３５のコネクタ３５Ａとが位置合わせされる。
【００６５】
筐体３５のコネクタ３５Ａは、ドライブユニット３４のコネクタ４３と接続される。これにより、ドライブユニット３４と、例えば、制御ユニット９との間で、ディスクＤ１からの読み取り情報およびディスクＤ１への書き込み情報の送信および受信をすることができる。
【００６６】
ロックバー３５Ｂは、筐体３５のそれぞれの内側壁３５Ｃからａ方向に沿って内方に延びる。具体的には、ロックバー３５Ｂの一端が内側壁３５Ｃに接続され、他端が筐体３５の内側壁３５Ｃから延びるステー３５Ｄと接続される。
【００６７】
図１１は、ドライブユニット３４が筐体３５に装着された状態の筐体３５の部分斜視図である。図１１に示すように、ドライブユニット３４は、ハンドル４９が立った状態で、筐体３５のドライブベイ６１に収納されている。
【００６８】
次に図１２Ａ、図１２Ｂ、図１３Ａ、および、図１３Ｂを参照して、ロック機構４５のロック動作およびロック解除動作について説明する。図１２Ａはハンドル４９が解除位置にあるときの図１１の矢視ＸＩＩＡからのドライブユニット３４を模式的に示す側面図である。図１２Ｂは、ハンドルが解除位置にあるときの図１１の矢視ＸＩＩＢからのハンドルホルダおよびカム板の側面図である。図１３Ａは、ハンドル４９がロック位置にあるときの図１１の矢視ＸＩＩＡからのドライブユニット３４を模式的に示す側面図である。図１３Ｂは、ハンドルがロック位置にあるときの図１１の矢視ＸＩＩＢからのハンドルホルダおよびカム板の側面図である。
【００６９】
図１２Ａおよび図１２Ｂにおいて、ハンドル４９は解除位置、すなわち、最も下方の位置にある状態にある。解除位置において、ハンドルホルダ５５の一方の突出部５５Ｃとカム板５３の孔５３Ｅとが嵌合し、ハンドル４９の動きが制限されている。また、コイルバネ５９により、ピン５５Ｂが溝５３Ｄの端部に向けて付勢されているので、この構成によってもハンドル４９の動きが制限されている。また、解除位置からハンドル４９をさらに押し下げても、この回転方向に対して、カム板５３およびアーム部５３Ａの一部とドライブユニット３４の一部とが接触している。この構成により、ハンドル４９がさらに下方へ回転するのを制限している。
【００７０】
ハンドル４９が解除位置に位置した状態で、ドライブユニット３４をドライブベイ６１へ挿入すると、案内部材６３によりドライブユニット３４の高さ方向（ｃ方向）および幅方向（ａ方向）において予め定められた位置へ案内される。ドライブユニット３４は、案内部材６３により案内されながらドライブベイ６１の奥へさらに挿入されると、筐体３５のロックバー３５Ｂがハンドルホルダ５５の溝５５Ａ内に入る。
【００７１】
ドライブユニット３４がさらにドライブベイ６１の奥へ挿入されると、筐体３５のロックバー３５Ｂがカム板５３の外周と当接する。これにより、ドライブユニット３４のドライブベイ６１への挿入が一旦停止される。ユーザは、ドライブユニット３４が奥へ挿入できないことを確認した後、ハンドル４９を解除位置から、最も上方の位置にあるロック位置へと回転させる。このとき、ユーザは、コイルバネ５９による付勢力と、突出部５５Ｃと孔５３Ｅの嵌合による摩擦力に抗してハンドル４９を回転させる。この回転に伴い、カム板５３は、溝５３Ｂ内にロックバー３５Ｂを引き込みながら回転する。この結果、ドライブユニット３４は、ドライブベイ６１のさらに奥へ徐々に挿入され、ドライブユニット３４のコネクタ４３が筐体３５のコネクタ３５Ａと徐々に接続される。
【００７２】
図１３Ａおよび図１３Ｂに示すように、ハンドル４９がロック位置に位置すると、ロックバー３５Ｂはハンドルホルダ５５の溝５５Ａの最も手前に位置する。ロック位置においても、ハンドルホルダ５５の他方の突出部５５Ｃとカム板５３の孔５３Ｅとが嵌合し、ハンドル４９の動きが制限される。また、コイルバネ５９により、ピン５５Ｂが溝５３Ｄの端部に向けて付勢されているので、この構成によってもハンドル４９の動きが制限されている。また、アーム部５３Ａの後ろ面の一部とハンドルホルダ５５の一部とが接触し、ハンドル４９がロック位置からさらに奥へ回転するのを制限している。
【００７３】
また逆に、図１３Ａおよび図１３Ｂにおいて、ロック位置から解除位置へハンドル４９を回転させたときも、ハンドル４９の回転に応じてカム板５３が回転する。カム板５３の回転に伴って円弧状の溝５３Ｂが回転し、カム板５３がロックバー３５Ｂを押す反力によりドライブユニット３４が徐々にドライブベイ６１の外へ押し出される。このドライブユニット３４の動きにより、コネクタ４３も徐々に前方へ移動するので、コネクタ４３とコネクタ３５Ａとの接続を徐々に外すことができる。また、ハンドル４９が解除位置にあるときは、コネクタ４３の接続が完全に解除されているので、ユーザは抵抗感を感じることなく、ドライブユニット３４を取り出すことができる。
【００７４】
また、コイルバネ５９により、ハンドルホルダ５５のピン５５Ｂとカム板５３のピン５３Ｃとが互いに反対方向に付勢されている。したがって、ハンドル４９がロック位置および解除位置にあるときは、ピン５５Ｂがカム板５３の溝５３Ｄの壁面方向にコイルバネ５９により付勢されているので、ピン５５Ｂが溝５３Ｄに沿って移動するのを抑制している。これにより、ロック位置および解除位置においてカム板５３の回転に負荷をかけているので、ハンドル４９が不用意に回転するのを防止している。
【００７５】
以上のように、ドライブユニット３４は、筐体３５に対して着脱可能に構成され、ドライブユニット３４は、ドライブユニット３４を筐体３５にロックするロック位置と、ドライブユニット３４と筐体３５とのロックを解除する解除位置とに変位可能なハンドル４９と、ロック位置と解除位置との間のハンドル４９の変位に応じて、ドライブユニット３４と筐体３５とをロックおよびロック解除を行うロック機構４５と、を備える。この構成により、ドライブユニット３４をハンドル操作するだけで筐体３５から配線も含めて取り外すことができるので、ドライブユニット３４のメンテナンス性を向上させることができる。
【００７６】
また、ドライブユニット３４は、ディスクに対して記録または再生される情報を外部と送信または受信するために、筐体３５に支持されたコネクタ３５Ａと接続されるコネクタ４３を備え、コネクタ３５Ａとコネクタ４３との着脱方向と、筐体３５に対するドライブユニット３４の着脱方向とが同じであり、ロック位置において、コネクタ３５Ａとコネクタ４３とが接続され、解除位置において、コネクタ３５Ａとコネクタ４３とが分離される。この構成により、筐体３５のコネクタ３５Ａとドライブユニット３４のコネクタ４３との着脱をハンドル操作と連動して行うことができるので、着脱時のコネクタ４３の損傷を防止することができる。また、コネクタ３５Ａとコネクタ４３との分離に大きな力を必要としても、ハンドル４９が解除位置に変位した段階でドライブユニット３４の移動が一旦停止するので、コネクタ３５Ａとコネクタ４３の分離の後にドライブユニット３４が勢いよく引き出されることがない。
【００７７】
また、筐体３５は、内側壁３５Ｃからａ方向に沿って内方に延びるロックバー３５Ｂを備え、ロック機構４５は、ハンドル４９がロック位置にあるときにロックバー３５Ｂをロックし、ハンドル４９が解除位置にあるときにロックバー３５Ｂとのロックを解除する。この構成により、筐体３５とドライブユニット３４との着脱を容易にすることができる。
【００７８】
また、ロック機構４５は、ハンドル４９の動きと連動するカム機構５１を備える。この構成により、筐体３５へのドライブユニット３４の着脱方向と、ハンドル４９の操作による筐体３５に対するドライブユニット３４のロック解除の方向を異ならせることができるので、ドライブユニット３４のロック状態を安定させることができる。
【００７９】
カム機構５１は、ハンドル４９と接続され、周縁部から内方に延びる溝５３Ｂを有するカム板５３を有する。ハンドル４９が解除位置にあるときに、ロックバー３５Ｂがカム板５３と当接することで、ドライブユニット３４が筐体３５内へ挿入されるのを停止する。ロック位置へのハンドル４９の移動に連動して、カム板５３の溝５３Ｂはロックバー３５Ｂを溝５３Ｂの内方に引き込んで係止する。この構成により、ロック解除位置とロック位置とのドライブユニット３４の移動をゆっくりと行うことができ、筐体３５へのドライブユニット３４の急な出し入れを防止することができる。また、ドライブユニット３４が筐体３５にロックされている状態で、筐体３５の振動等により、ドライブユニット３４が引き出し方向（ｂ方向）に力が加わったとしても、溝５５Ａに沿ってロックバー３５Ｂが移動する方向とカム板５３の回転方向とが異なるので、カム板５３に回転力が発生しない。この結果、ロック状態を安定して保持することができる。
【００８０】
また、カム機構５１は、カム板５３を回転可能に支持するハンドルホルダ５５を備え、ハンドルホルダ５５はカム板５３に向けて突出するピン５５Ｂを備え、カム板５３は、ピン５５Ｂが挿入される円弧形状の溝５３Ｄと、カム板５３から側方に向けて突出するピン５３Ｃと、ピン５５Ｂとピン５３Ｃとに取り付けられたコイルバネ５９とを有し、コイルバネ５９はピン５５Ｂとピン５３Ｃとが反発する方向に付勢されている。この構成により、ピン５３Ｃがロック位置と解除位置において、溝５３Ｄに沿う方向とは異なる方向に付勢されているので、ロック位置または解除位置に位置するハンドル４９が不用意に回転するのを防止することができる。
【００８１】
（実施形態２）
次に、図１４を参照して、実施形態２について説明する。図１４は、実施形態２におけるリンク機構の側面図である。実施形態２は、実施形態１のカム機構に代えてリンク機構を採用して、ドライブユニット３４のロックおよび解除を実施する。なお、実施形態２におけるディスク装置３は、以下に記載した事項以外の構成は、実施形態１のディスク装置３と共通である。
【００８２】
実施形態２におけるドライブユニット３４のロック機構４５は、実施形態１のロック機構４５がカム機構５１を備えていた代わりに、ハンドル４９の動きと連動するリンク機構７１を備える。リンク機構７１は、その一端がハンドル４９と接続され、予め定められた角度回転可能な第１アーム７３と、第１アーム７３の動きと連動して予め定められた角度回転可能な第２アーム７５と、を備える。また、リンク機構７１は、第２アーム７５の動きと連動して予め定められた角度回転可能な第３アーム７７を備える。なお、図１４に示されるリンク機構７１は、ドライブユニット３４の左側面に取り付けられる。
【００８３】
第１アーム７３は、ハンドルホルダ６７に支持された軸７４を中心に予め定められた角度回転可能にハンドルホルダ６７に支持される。第１アーム７３の一端部はハンドル４９と接続され、他端部には内側方に向けて突出したピン７３Ａを有する。第１アーム７３は、軸７４との接続位置に応じて屈曲点を有してもよい。第１アーム７３は、屈曲点を、図１４に示すように２つ有してもよいし、図１５−１７に示すように１つ有しても良い。
【００８４】
第２アーム７５は、ハンドルホルダ６７に支持された軸７６を中心に予め定められた角度回転可能にハンドルホルダ６７に支持される。第２アーム７５は、直線状の溝７５Ａを有し、溝７５Ａに第１アーム７３のピン７３Ａが挿通されている。第２アーム７５は、溝７５Ａの延長上の端部に突出部７５Ｂを有している。溝７５Ａに挿通されたピン７３Ａと突出部７５Ｂにコイルバネ７９が取り付けられている。ハンドル４９の移動に連動して、第１アーム７３がロック位置と解除位置とに回転すると、ピン７３Ａが溝７５Ａ内を直線移動しながら軸７４を中心に回転移動することで、第２アーム７５も軸７６を中心に予め定められた角度回転する。また、第２アーム７５は、内側方に向けて突出したピン７５Ｃと、筐体３５のロックバー３５Ｂに接触するＶ字形状の接触部７５Ｄと、を有する。
【００８５】
第３アーム７７は、ハンドルホルダ６７に支持された軸７８を中心に予め定められた角度回転可能にハンドルホルダ６７に支持される。第３アーム７７は、第２アーム７５のピン７５Ｃが挿通される孔７７Ａと、筐体３５のロックバー３５Ｂと接触する接触部７７Ｂと、第３アーム７７の前端に内方に向けて突出する突出部７７ｃとを有する。第３アーム７７の突出部７７ｃとハンドルホルダ６７とにコイルバネ８１が取り付けられ、コイルバネ８１のコイル中心に軸７８が挿通されている。
【００８６】
次に図１５−図１７を参照して、リンク機構７１によるロック動作およびロック解除動作について説明する。図１５はハンドル４９が解除位置にあるときのリンク機構７１の側面図である。図１６は、ハンドル４９が解除位置とロック位置との間にあるときのリンク機構７１の側面図である。図１７は、ハンドル４９がロック位置にあるときのリンク機構７１の側面図である。なお、図１５−図１７は、ドライブユニット３４の右側面に配置されたリンク機構７１の側面図を示す。
【００８７】
図１５において、ハンドル４９が解除位置にある状態で、ドライブユニット３４をドライブベイ６１へ挿入すると、ドライブユニット３４は、案内部材６３により案内され、筐体３５のロックバー３５Ｂがハンドルホルダ６７の溝６７Ａ内に入る。
【００８８】
さらに、ドライブユニット３４がドライブベイ６１の奥へ挿入されると、筐体３５のロックバー３５Ｂが第２アーム７５の接触部７５Ｄの第１接触面７５Ｄａと当接する。第１アーム７３のピン７３Ａと第２アーム７５の突出部７５Ｂとがコイルバネ７９を介して接続されているので、ピン７３Ａは第２アーム７５の溝７５Ａの前端に位置するように付勢されている。筐体３５のロックバー３５Ｂが第２アーム７５の接触部７５Ｄの第１接触面７５Ｄａと当接すると、コイルバネ７９の付勢力に抗してドライブユニット３４を押し込まなければならないので、ドライブユニット３４の奥への挿入が一旦停止される。
【００８９】
次に、ユーザは、ドライブユニット３４の挿入の抵抗感を確認した後、ハンドル４９を解除位置からロック位置へと回転させる。この回転に伴い、コイルバネ７９の付勢力に抗して第１アーム７３および第２アーム７５が回転する。第２アーム７５が解除位置から回転を始めると、図１６に示すように、接触部７５Ｄの第２接触面７５Ｄｂがロックバー３５Ｂの奥側に接触する。ハンドル４９がさらに回転すると、第２接触面７５Ｄｂは、ロックバー３５Ｂを溝６７Ａに沿って前方に引き込みながら回転する。
【００９０】
解除位置において、第２アーム７５のピン７５Ｃが、第３アーム７７のコイルバネ８１の付勢力に抗して、第３アーム７７の孔７７Ａを下方に押し下げているので、第３アーム７７の接触部７７Ｂは溝６７Ａの下方に位置している。第２アーム７５が解除位置からロック位置へ回転を始めると、第２アーム７５のピン７５Ｃの位置が変わるので、第３アーム７７の後端部が上方へ回転し始める。溝５３Ｂを相対的に前方に移動するロックバー３５Ｂに第３アーム７７の上面が接触すると、第３アーム７７の回転がロックバー３５Ｂによって停止される。
【００９１】
ハンドル４９がロック位置まで回転されると、第２接触面７５Ｄｂによりロックバー３５Ｂは溝６７Ａの前端部に移動される。ロックバー３５Ｂが溝６７Ａの前端部に相対的に移動すると、コイルバネ８１の付勢力により、接触部７７Ｂが溝６７Ａまで上昇し、ハンドルホルダ６７をロックバー３５Ｂにロックする。ロック位置において、第３アーム７７の回転中心である軸７８と、ロックバー３５Ｂと、接触部７７Ｂとが直線上に配置される。したがって、ハンドル４９が回転されなければ、ドライブユニット３４に前方向の力が加わったとしても、ロックバー３５Ｂが接触部７７Ｂを押す力の方向は、第３アーム７７を回転させる方向にならない。したがって、第３アーム７７は回転しないので、ロックバー３５Ｂのロックが解除されることがなく、ロック状態が安定する。
【００９２】
また逆に、図１７において、ロック位置から解除位置へコイルバネ７９の付勢力に抗してハンドル４９を回転させると、第２アーム７５のピン７５Ｃが第３アーム７７の孔７７Ａを下方に押し下げる。これにより、第３アーム７７の接触部７７Ｂは、コイルバネ８１の付勢力に抗して、溝６７Ａの下方に移動する。また、第２アーム７５がロック位置から解除位置へ回転し始めると、第２接触面７５Ｄｂが後方へ移動するとともに、第１接触面７５Ｄａが溝６７Ａの前端部に上昇し、ロックバー３５Ｂの前端部に接触する。さらに、第２アームが解除位置に向けて回転すると、第１接触面７５Ｄａが回転しながらロックバー３５Ｂを後方へ押す力の反力により、ドライブユニット３４が解除位置に達するまで前方へ押し出される。
【００９３】
以上のように、リンク機構７１は、第１アーム７３と第２アーム７５とを備え、ハンドル４９が解除位置にあるときに、ロックバー３５Ｂが第２アーム７５の一部と当接することで、ドライブユニット３４が筐体３５内へ挿入されるのを停止し、ロック位置へのハンドル４９の移動に連動して、第２アーム７５の一部がロックバー３５Ｂをロックする。この構成により、ロック解除位置とロック位置とのドライブユニット３４の移動をゆっくりと行うことができ、筐体３５へのドライブユニット３４の急な出し入れを防止することができる。
【００９４】
また、リンク機構７１は、第３アーム７７をさらに備え、ロック位置へのハンドル４９の移動に連動して、第３アーム７７の一部がロックバー３５Ｂをロックする。この構成により、ロック状態の安定性をより向上することができる。
【００９５】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９６】
また、前述の実施形態は、本開示における技術を例示するためのものであるから、特許請求の範囲又はその均等の範囲において種々の変更、置き換え、付加、省略などを行うことができる。
【産業上の利用可能性】
【００９７】
本開示にかかるディスク装置は、ドライブユニットのメンテナンス性を向上させることができるので、特に、データセンターなどの大量のデータを扱う施設に用いるディスク装置に有用である。
【符号の説明】
【００９８】
１      格納庫
１Ａ    開口部
２      ドロワ
２Ａ    把手部
３      ディスク装置
４      ケース
４Ａ    開口部
５      レール
６      ファンユニット
７      制御ユニット
３１Ａ，３１Ｂ    トレイスタック
３２      ディスクトレイ
３３      チェンジャーユニット
３４      ドライブユニット
３４Ａ    トレイ
３５      筐体
３５Ａ  コネクタ
３５Ｂ  ロックバー
３５Ｃ  内側壁
３５Ｄ  ステー
３６      トレイキャリア
３７      ディスクセレクタ
３８      シャーシ
３８Ａ    前壁
３８Ｂ    凹部
３９    ハンドル部
４１      ドライブ本体
４１Ａ，４１Ｂ    フック
４３      コネクタ
４５      ロック機構
４７      プリント配線基板
４７Ａ，４７Ｂ    孔
４８      ボルト
４９      ハンドル
５１      カム機構
５３      カム板
５３Ａ    アーム部
５３Ｂ    溝
５３Ｃ    ピン
５３Ｄ    溝
５３Ｅ    孔
５４      軸
５５      ハンドルホルダ
５５Ａ    溝
５５Ｂ    ピン
５５Ｃ    突出部
５７Ａ    溝
５９      コイルバネ
６１      ドライブベイ
６３、６４      案内部材
６７      ハンドルホルダ
６７Ａ    溝
７１      リンク機構
７３      第１アーム
７３Ａ    ピン
７４      軸
７５      第２アーム
７５Ａ    溝
７５Ｂ    突出部
７５Ｃ    ピン
７５Ｄ    接触部
７５Ｄａ  第１接触面
７５Ｄｂ  第２接触面
７６      軸
７７      第３アーム
７７Ａ    孔
７７Ｂ    接触部
７７Ｃ    突出部
７８      軸
７９，８１      コイルバネ
【図１】
2019071154.tif 000003
【図２】
2019071154.tif 000004
【図３】
2019071154.tif 000005
【図４】
2019071154.tif 000006
【図５】
2019071154.tif 000007
【図６】
2019071154.tif 000008
【図７Ａ】
2019071154.tif 000009
【図７Ｂ】
2019071154.tif 000010
【図７Ｃ】
2019071154.tif 000011
【図７Ｄ】
2019071154.tif 000012
【図７Ｅ】
2019071154.tif 000013
【図７Ｆ】
2019071154.tif 000014
【図７Ｇ】
2019071154.tif 000015
【図７Ｈ】
2019071154.tif 000016
【図８】
2019071154.tif 000017
【図９】
2019071154.tif 000018
【図１０】
2019071154.tif 000019
【図１１】
2019071154.tif 000020
【図１２Ａ】
2019071154.tif 000021
【図１２Ｂ】
2019071154.tif 000022
【図１３Ａ】
2019071154.tif 000023
【図１３Ｂ】
2019071154.tif 000024
【図１４】
2019071154.tif 000025
【図１５】
2019071154.tif 000026
【図１６】
2019071154.tif 000027
【図１７】
2019071154.tif 000028
【図１８】
2019071154.tif 000029